(57)【特許請求の範囲】
【請求項１】
布地の片面に熱可塑性樹脂から成るコート層が設けられ、そのコート層を内側にして互に重ね合わせられた柔軟な２枚のシート状物の一側部を幅方向に二つ折りされた高周波溶着が可能な熱可塑性のプラスチックテープで包み込んで高周波誘導加熱により２枚のシート状物のコート層およびプラスチックテープを高周波溶着し、上側のシート状物をプラスチックテープの側縁に沿って上下面が反転するように折り返し、その折り返し部を高周波誘導加熱してプラスチックテープの溶融により上側のシート状物の布地同士を溶着したシート状物の接合構造。
【請求項２】
布地の片面に熱可塑性樹脂から成るコート層が設けられた柔軟な２枚のシート状物を、前記コート層を内側にして互に重ね合わせ、上側のシート状物の側縁部上に高周波溶着が可能な熱可塑性のプラスチックテープの一側部を添わせて一対のシート状物とプラスチックテープの重なり部を縫着する工程と、その縫着後に、前記プラスチックテープを他側部が下側のシート状物の下面に重なる位置まで折曲げて２枚のシート状物の側縁部を包み込む工程と、幅方向に二つ折りされた前記プラスチックテープを一対の電極により挟み、加圧しながら高周波誘導加熱して２枚のシート状物のコート層およびプラスチックテープを高周波溶着する工程と、高周波溶着後に、上側のシート状物をプラスチックテープの側縁に沿って上下面が反転するように折り返し、その折り返し部の上下を一対の電極で挟み、加圧しながら高周波誘導加熱してプラスチックテープの溶融により上側のシート状物の布地同士を溶着する工程とから成るシート状物の接合方法。
【発明の詳細な説明】
【０００１】
【発明の属する技術分野】
この発明は、布地の片面に防水性を有する熱可塑性樹脂のコート層が設けられた柔軟なシート状物の接合構造および接合方法に関するものである。
【０００２】
【従来の技術】
ポリエステル糸によって形成されたトリコットの片面にポリウレタンから成る防水性のコート層を設けた柔軟なシート状物は雨合羽の形成用素材として用いられている。
【０００３】
上記シート状物によって雨合羽を形成する場合、そのシート状物を所定の形状に裁断して互に接合するようにしている。その接合に際し、縫着する方法を採用すると、接合面間の密着性が悪いため、その接合面間あるいは縫着系が刺通する針孔から雨水が内面側に浸入する。
【０００４】
そこで、上記のようなシート状物の接合には高周波ウエルダにより熱溶着する方法が採用されている。
【０００５】
シート状物の熱溶着に際し、接合すべき２枚のシート状物をコート層を内側にして互に重ね合わせ、２枚のシート状物の側縁部を一対の電極により挾持し、加圧しながら高周波誘導加熱してコート層を溶着すると、互に接合された接合片部は各シート状物に対して非接着の遊離状態であるため、２枚のシート状物を展開した場合に、上記接合片部がシート状物の内面側に立ち上がり、着心地の良い雨合羽を得ることができない。また、シート状物の接合端部の表面側に円弧面が形成され、その円弧面間に溝が設けられるため、体裁の良好な雨合羽を得ることができない。
【０００６】
したがって、着心地および体裁の良好な雨合羽を得るためには、前記接合片部を一方のシート状物に接合する必要が生じる。この場合、接合片部は表裏にトリコットが臨み、その接合片部のトリコットを一方のシート状物のトリコットに接合する必要があるため、高周波溶着させることができない。
【０００７】
そこで、従来は、図３に示すように、トリコット１０の片面にポリウレタンから成るコート層１１を設けた２枚のシート状物Ｂ1 、Ｂ2 をコート層１１を内側にして重ね合わせ、そのシート状物Ｂ1 、Ｂ2 の側縁部を高周波ウエルダにより筋状に熱溶着したのち、上側のシート状物Ｂ1 の上面側縁部に塩化ビニールから成るテープ１２を重ね合わせ、そのテープ１２の側縁に沿って上側のシート状物Ｂ1 を上下面が反転するよう折り返し、その折り返し部を高周波ウエルダにより加圧する状態で高周波誘導加熱してテープ１２の溶融によりトリコット１０同士を接着させるようにしている。
【０００８】
【発明が解決しようとする課題】
ところで、高周波ウエルダによるシート状物の溶接は、シート状物Ｂ1 、Ｂ2 の厚み、コート層１１の材質等に応じて、高周波発振器の発振周波数や電極間電圧、溶接時間等を調整する必要があり、これらの調整は微妙であり、その調整を誤ると接合不良を生じることになる。
【０００９】
このため、図３に示す従来のシート状物の接合構造では、シート状物Ｂ1 、Ｂ2 の接合部に接合不良が発生していると、その接合部から内部に雨水が浸入し、雨水の浸入を避けることはできない。
【００１０】
この発明の課題は、雨水の浸入を完全に防止することができるようにしたシート状物の接合構造および接合方法を提供することである。
【００１１】
【課題を解決するための手段】
上記の課題を解決するために、この発明に係るシート状物の接合構造においては、布地の片面に熱可塑性樹脂から成るコート層が設けられ、そのコート層を内側にして互に重ね合わせられた柔軟な２枚のシート状物の一側部を幅方向に二つ折りされた高周波溶着が可能な熱可塑性のプラスチックテープで包み込んで高周波誘導加熱により２枚のシート状物のコート層およびプラスチックテープを高周波溶着し、上側のシート状物をプラスチックテープの側縁に沿って上下面が反転するように折り返し、その折り返し部を高周波誘導加熱してプラスチックテープの溶融により上側のシート状物の布地同士を溶着した構成を採用している。
【００１２】
また、この発明に係るシート状物の接合方法においては、布地の片面に熱可塑性樹脂から成るコート層が設けられた柔軟な２枚のシート状物を、前記コート層を内側にして互に重ね合わせ、上側のシート状物の側縁部上に高周波溶着が可能な熱可塑性のプラスチックテープの一側部を添わせて一対のシート状物とプラスチックテープの重なり部を縫着する工程と、その縫着後に、前記プラスチックテープを他側部が下側のシート状物の下面に重なる位置まで折曲げて２枚のシート状物の側縁部を包み込む工程と、幅方向に二つ折りされた前記プラスチックテープを一対の電極により挟み、加圧しながら高周波誘導加熱して２枚のシート状物のコート層およびプラスチックテープを高周波溶着する工程と、高周波溶着後に、上側のシート状物をプラスチックテープの側縁に沿って上下面が反転するように折り返し、その折り返し部の上下を一対の電極で挟み、加圧しながら高周波誘導加熱してプラスチックテープの溶融により上側のシート状物の布地同士を溶着する工程とから成る構成を採用している。
【００１３】
上記のように構成すれば、２枚のシート状物が接合された接合片部の上側の布地と上側のシート状物の下面の布地とをその間に設けられたプラスチックテープの溶融によって接着させることができる。また、プラスチックテープは接合片部の側縁を包み込んでいるため、接合片部の接合が不完全であって雨水が接合面間に浸透したとしても、その雨水の浸入をプラスチックテープにより阻止することができる。
【００１４】
【発明の実施の形態】
以下、この発明の実施の形態を図１および図２に基づいて説明する。図１は２枚のシート状物Ａ1 、Ａ2 を接合した状態を示し、図２は、その接合方法を段階的に示している。
【００１５】
図２（Ｉ）に示すように、シート状物Ａ1 、Ａ2 は、布地１上にコート層２を設けて柔軟性を有している。
【００１６】
布地１はポリエステル系をたて編したトリコットから成る。一方、コート層２はポリウレタン等の高周波溶接が可能な熱可塑性プラスチックから成り、防水性を有している。
【００１７】
上記２枚のシート状物Ａ1 、Ａ2 の接合に際しては、まず、図２（Ｉ）に示すように、コート層２を内側にして２枚のシート状物Ａ1 、Ａ2 を重ね合わせ、上側のシート状物Ａ1 の上面側縁部にプラスチックテープ３の一側部を重ね合わせて縫着する。４は縫着糸を示す。
【００１８】
ここで、プラスチックテープ３は、塩化ビニル等の熱電体損が大きい高周波溶接が可能な熱可塑性プラスチックから成っている。
【００１９】
２枚のシート状物Ａ1 、Ａ2 およびプラスチックテープ３の縫着後、そのプラスチックテープ３を幅方向に折曲げ、その折曲げ片３ａを図２（II）に示すように下側のシート状物Ａ2 の下面に沿わせて、２枚のシート状物Ａ1 、Ａ2 の側縁をプラスチックテープ３で包み込む。
【００２０】
プラスチックテープ３の折曲げに際し、そのプラスチックテープ３の一側部は２枚のシート状物Ａ1 、Ａ2 に予め縫着されているため、上記プラスチックテープ３を簡単に折り曲げることができる。
【００２１】
プラスチックテープ３の折曲げ後、図２（III ）に示すように、高周波ウエルダの一対の電極５、６によってプラスチックテープ３を上下から挾持し、加圧しながら高周波誘導加熱する。その加熱によってプラスチックテープ３が溶融すると共に、２枚のシート状物Ａ1 、Ａ2 のコート層２が溶融し、２枚のシート状物Ａ1 、Ａ2 およびプラスチックテープ３が溶着される。その溶着後、上側のシート状物Ａ1 を上下面が反転するようプラスチックテープ３の側縁に沿って折り返し、その折り返し部の上下を図２（IV）に示すよう高周波誘導加熱する。その加圧、加熱によりプラスチックテープが溶融し、２枚のシート状物Ａ1 、Ａ2 の予め接合された接合片部７の上側の布地１と折り返しされたシート状物Ａ1 の下面の布地１が溶着され、接合片部７は上側のシート状物Ａ1 に接合される。その接合によって、図１に示すような接合シート状物Ａ0 を得ることができる。
【００２２】
上記のように、接合片部７はプラスチックテープ３を介して上側のシート状物Ａ1 に接合されるため、接合片部７の納まりは良好であって、２枚のシート状物Ａ1 、Ａ2 の接合部はほぼ平面に保持される。このため、雨合羽を形成した場合に、着心地および体裁の良好な雨合羽を得ることができる。
【００２３】
また、プラスチックテープ３は２枚のシート状物Ａ1 、Ａ2 の側縁部を包み込むと共に、下側シート状物Ａ2 の下面側に折り返されたプラスチックテープ３の折り曲げ片３ａは縫着糸４を隠蔽するため、２枚のシート状物Ａ1 、Ａ2 の接合面の接合が不完全であって接合面間に雨水が浸透しても、この雨水はプラスチックテープ３によって内側に浸入するのが防止される。
【００２４】
【発明の効果】
以上のように、この発明においては、２枚のシート状物の高周波溶着された接合片部の表面の布地と上側シート状物の下面の布地とを溶着するプラスチックテープで前記接合片部の側縁を包み込むようにしたので、２枚のシート状物の接合片部の接合が不完全であってその接合面間に雨水が浸透しても、その雨水の内部への浸入をプラスチックテープで完全に防止することができる。
【図面の簡単な説明】
【図１】この発明に係るシート状物の接合構造を示す斜視図
【図２】（Ｉ）乃至（IV）はシート状物の接合を段階的に示す断面図
【図３】従来の接合構造を示す断面図
【符号の説明】
Ａ1 、Ａ2   シート状物
１  布地
２  コート層
３  プラスチックテープ
５、６  電極
７  接合片部
【図１】
0004699603.tif 000002
【図２】
0004699603.tif 000003
【図３】
0004699603.tif 000004